(57)【要約】【課題】光源として発光ダイオードを用いることにより照明装置の小型化を図るとともに、ＣＣＤ撮像素子の特性を考慮した良質な撮影画像を得る。【解決手段】赤色ＬＥＤチップ１１ｒ、緑色ＬＥＤチップ１１ｇ及び青色ＬＥＤチップ１１ｂが直列に接続されている。そして、同じ電流値に対する赤色の強度をＰｒ、緑色の強度をＰｇ、青色の強度をＰｂとすると、Ｐｒ、Ｐｇ、Ｐｂの比が３：７：１前後となるように設定する。これにより、この照明装置をＣＣＤ撮像素子による撮像時の照明用として携帯機器に一体に搭載することにより、ＣＣＤ撮像素子での色再現性を向上させることができる。【選択図】　図４
2004071807.tif 000002
【特許請求の範囲】
【請求項１】
赤色発光ダイオードチップと緑色発光ダイオードチップと青色発光ダイオードチップとが直列に接続され、これらチップが１個の電源装置で駆動されることを特徴とする照明装置。
【請求項２】
２個の赤色発光ダイオードチップと１個の緑色発光ダイオードチップと１個の青色発光ダイオードチップとが直列に接続され、これら４個のチップが１個の電源装置で駆動されることを特徴とする照明装置。
【請求項３】
赤色発光ダイオードチップと青色チップ及び蛍光体からなるチップとが直列に接続され、これらチップが１個の電源装置で駆動されることを特徴とする照明装置。
【請求項４】
青紫色チップ及び蛍光体の組み合わせによって赤色と緑色とを励起するチップと青色発光ダイオードチップとが直列に接続され、これらチップが１個の電源装置で駆動されることを特徴とする照明装置。
【請求項５】
青紫色チップ及び蛍光体の組み合わせによって緑色と青色とを励起するチップと赤色発光ダイオードチップとが直列に接続され、これらチップが１個の電源装置で駆動されることを特徴とする照明装置。
【請求項６】
請求項１ないし請求項５のいずれかに記載の照明装置をＣＣＤ撮像素子による撮像時の照明用として装置本体に一体に搭載したことを特徴とするカメラ装置。
【請求項７】
前記ＣＣＤ撮像素子の利得を特定の波長の信号に基づいて設定することを特徴とする請求項６記載のカメラ装置。
【請求項８】
同じ電流値に対する赤色の強度をＰｒ、緑色の強度をＰｇ、青色の強度をＰｂとすると、Ｐｒ、Ｐｇ、Ｐｂの比が３：７：１前後であることを特徴とする請求項７記載のカメラ装置。
【請求項９】
請求項６ないし請求項８のいずれかに記載のカメラ装置を機器本体に一体に搭載したことを特徴とする携帯機器。
【発明の詳細な説明】
【０００１】
【発明の属する技術分野】
本発明は、発光ダイオードチップを利用した照明装置、及びこの照明装置を搭載したカメラ装置、ならびにこのカメラ装置を搭載した携帯機器（携帯電話機やＰＤＡ等）に関する。
【０００２】
【従来の技術】
最近の携帯電話機にはカメラが一体に設けられており、このカメラでフルカラーの静止画や動画を撮影して、特定の相手にそのまま送信することができるようになっている。しかし、カメラの感度範囲は必ずしも広くないので、被写体自体が暗い場合や被写体が暗い場所にある場合には、照明が必要となる。
【０００３】
そこで、最近の携帯電話機では、このような照明装置（主に静止画を撮影するためのフラッシュ）を備えたものがある。
【０００４】
例えば、Ｊ−ＰＨＯＮＥ（ジェイフォン株式会社の略）向けの株式会社東芝製カメラ内蔵携帯電話機があり、この携帯電話機にはフラッシュが装備されているが、携帯電話機本体に設けられたヘッドホン接続部分にフラッシュを外付けするといった形態をとっている。
【０００５】
また、この他にも、ｃｄｍａＯｎｅ（ＤＤＩセルラーグループとＩＤＯが提供しているデジタル携帯電話サービス）によって提供された携帯電話機があり、この携帯電話機向けのデジタルカメラとして京セラ株式会社製のデジタルカメラがある。このデジタルカメラは、携帯電話機のインターフェースに接続して使用されるものであり、携帯電話機本体にカメラやフラッシュが内蔵されたものではない。
【０００６】
【発明が解決しようとする課題】
上記Ｊ−ＰＨＯＮＥ向けの株式会社東芝製カメラ内蔵携帯電話機に装備されるフラッシュも、ｃｄｍａＯｎｅによって提供された携帯電話機向けのデジタルカメラのフラッシュも、ＬＥＤによって実現されたものではない。
【０００７】
携帯電話機は小型であることが特徴であり、電池で動かすことが必要であるため、従来の白熱灯などを使うことができない。この点では、輝度の高い半導体発光ダイオードが優れている。しかし、通常の発光ダイオードは、赤色や緑色等であり、そのまま照明に使用すると、不自然な画像しか得ることができないといった問題があった。
【０００８】
すなわち、白黒の画像を撮影する場合でも、照明には白色（赤、緑、青の成分を含む）の発光ダイオードが望ましく、カラー画像を撮影する場合には必須である。
【０００９】
なお、白色の発光ダイオードとしては、従来より、青色発光ダイオードチップをＹＡＧ（Ｙｔｔｒｉｕｍ　Ａｌｕｍｉｎｕｍ　Ｇａｒｎｅｔ　）系の蛍光体で封止して、蛍光体の発する黄色を中心とした広い発光スペクトルと青色発光ダイオードの狭い発光スペクトルを合成した白色発光ダイオードが良く知られている。しかし、このような白色発光ダイオードで照明してＣＣＤ撮像素子を有するカメラ装置で画像を撮影すると雑音が多く、良質の画像が得られないといった問題があった。
【００１０】
雑音が発生する原因は、図１６に示す白色発光ダイオードのスペクトルを見てもわかる通り、赤色の強度が小さいためである。
【００１１】
携帯電話機に内蔵されるカメラの撮像素子は、小型で感度の良いＣＣＤ撮像素子が優れている。ＣＣＤ撮像素子では、色ごとに画像を取り込んで、特定の色信号強度から利得を決定し、他の色信号に対しても同じ利得で増幅するようになっている。そのため、利得を決定する色信号の強度が小さいと、利得が非常に高く設定されて他の色信号が飽和してしまい、逆に利得を決定する色信号の強度が大きいと、利得が非常に低く設定されて他の色信号が雑音に埋もれてしまう、といった特性を持っている。
【００１２】
従って、白色発光ダイオードをＣＣＤ撮像素子を有するカメラ装置の照明用光源として用いると、赤色の成分が青色に比べて小さいため、雑音が発生することになる。
【００１３】
本発明は係る実情に鑑みて創案されたもので、その目的は、光源として発光ダイオードを用いることにより照明装置の小型化を図るとともに、ＣＣＤ撮像素子の特性を考慮した良質な撮影画像を得ることのできる照明装置、及びこの照明装置を搭載したカメラ装置、ならびにこのカメラ装置を搭載した携帯機器を提供することにある。
【００１４】
【課題を解決するための手段】
本発明の照明装置は、赤色発光ダイオードチップと緑色発光ダイオードチップと青色発光ダイオードチップとが直列に接続され、これらチップが１個の電源装置で駆動されることを特徴としている。このように、直列接続した発光ダイオードを使用することで、装置の小型化が可能となる。また、１個の電源（例えば電池等）で動作させることが可能となる。さらに、ＣＣＤ撮像素子を有するカメラ装置に搭載した場合には、ＣＣＤ撮像素子での色再現性を向上させることができる。
【００１５】
また、本発明の照明装置は、２個の赤色発光ダイオードチップと１個の緑色発光ダイオードチップと１個の青色発光ダイオードチップとが直列に接続され、これら４個のチップが１個の電源装置で駆動されることを特徴としている。このように、赤色発光ダイオードチップを２個設けることにより、赤色の信号強度を上げることができる。これにより、ＣＣＤ撮像素子を有するカメラ装置に搭載した場合には、ＣＣＤ撮像素子での色再現性を向上させることができる。
【００１６】
また、本発明の照明装置は、赤色発光ダイオードチップと青色チップ及び蛍光体からなるチップとが直列に接続され、これらチップが１個の電源装置で駆動されることを特徴としている。青色チップ及び蛍光体からなるチップでは、赤色の成分が不十分であるが、これに赤色発光ダイオードを追加したことで、ＣＣＤ撮像素子を有するカメラ装置に搭載した場合に、ＣＣＤ撮像素子での色再現性を向上させることができる。
【００１７】
また、本発明の照明装置は、青紫色チップ及び蛍光体の組み合わせによって赤色と緑色とを励起するチップと青色発光ダイオードチップとが直列に接続され、これらチップが１個の電源装置で駆動されることを特徴としている。青紫色チップ及び蛍光体からなるチップにより赤色と緑色の２波長を得ることができるが、これに青色発光ダイオードを追加したことで、色味の弱い青色の波長を補うことができ、ＣＣＤ撮像素子を有するカメラ装置に搭載した場合に、ＣＣＤ撮像素子での色再現性を向上させることができる。
【００１８】
また、本発明の照明装置は、青紫色チップ及び蛍光体の組み合わせによって緑色と青色とを励起するチップと赤色発光ダイオードチップとが直列に接続され、これらチップが１個の電源装置で駆動されることを特徴としている。青紫色チップ及び蛍光体からなるチップにより緑色と青色の２波長を得ることができるが、これに赤色発光ダイオードを追加したことで、色味の弱い赤色の波長を補うことができ、ＣＣＤ撮像素子を有するカメラ装置に搭載した場合に、ＣＣＤ撮像素子での色再現性を向上させることができる。
【００１９】
また、本発明のカメラ装置は、これらの照明装置をＣＣＤ撮像素子による撮像時の照明用として装置本体に一体に搭載したことを特徴としている。また、ＣＣＤ撮像素子の利得を特定の波長の信号（例えば赤色の信号）に基づいて設定する。これにより、ＣＣＤ撮像素子での色再現性を向上させることができる。
【００２０】
この場合、同じ電流値に対する赤色の強度をＰｒ、緑色の強度をＰｇ、青色の強度をＰｂとすると、Ｐｒ、Ｐｇ、Ｐｂの比が３：７：１前後であることが望ましい。このような比に設定することで、ＣＣＤ撮像素子での色再現性を最も良く向上させることができる。本発明者らが行った実験では、例えばＰｒ、Ｐｇ、Ｐｂの比が５：７：１の場合には、緑色や青色の信号が雑音に埋もれてしまい、また、Ｐｒ、Ｐｇ、Ｐｂの比が１：７：１の場合には、緑色や青色が飽和してしまって、良質の画像を得ることができなかったが、Ｐｒ、Ｐｇ、Ｐｂの比が３：７：１の場合には、良質の画像を得ることができた。
【００２１】
また、本発明の携帯機器は、上記のような照明装置を内蔵したカメラ装置を機器本体に一体に搭載したことを特徴としている。これにより、照明付きカメラ一体型の携帯機器（例えば、携帯電話機）を提供することができる。
【００２２】
【発明の実施の形態】
以下、本発明の実施の形態について、図面を参照して説明する。
【００２３】
図１は、本発明の照明装置をカメラ付き携帯電話機に搭載した一実施の形態を示す説明図である。
【００２４】
この携帯電話機は無線通信網を介して通信を実施するための携帯端末機であり、表示部１と操作部（図示せず）とから構成されている。この図では、２つ折りタイプが示されており、表示部１の背面側のみが図示されている。この表示部１には、アンテナ１４を初め、図示しない液晶表示画面やスピーカー等が設けられている。また、図示しない操作部には、ユーザが各種設定、メール作成及びダイヤル等を行う際に使用する数字キーと記号キーとファンクションキーとからなる操作キー、ならびにマイク等が設けられている。
【００２５】
これら表示部１と操作部とは蝶番等を介して接続されており、表示部１の液晶表示画面と操作部の操作キーとが対向するように折り曲げた状態で収納することができるようになっている。
【００２６】
また、表示部１の背面には、着信ランプとしても使用可能なカメラ用の照明装置の一実施例（実施例１）であるＲＧＢ３色ＬＥＤ１１と、ＣＣＤ（ｃｈａｒｇｅ　ｃｏｕｐｌｅｄ　ｄｅｖｉｃｅ）撮像素子からなるカメラ装置（以下、「ＣＣＤカメラ」という）１２とが配置されている。ＬＥＤチップは厚さが０．２５ｍｍ、外形寸法が０．３×０．３ｍｍ程度と小さいので携帯電話機の本体に内蔵することができる。なお、「ＲＧＢ」は光の３原色を示しており、「Ｒ」は「赤（Ｒｅｄ）」、「Ｇ」は「緑（Ｇｒｅｅｎ）」、「Ｂ」は「青（Ｂｌｕｅ）」の略であり、ＲＧＢ３色ＬＥＤ１１は、赤色光、緑色光及び青色光をそれぞれ出力可能な３個の光源を備えたＬＥＤである。
【００２７】
図２は、図１に示す携帯電話機を構成するＲＧＢ３色ＬＥＤ１１の一例を示す拡大平面図であり、図３は、図２に示すＲＧＢ３色ＬＥＤの１１の配置を示す説明図である。
【００２８】
ＲＧＢ３色ＬＥＤ１１は、基板２１表面の中央部に配置された赤色ＬＥＤチップ１１ｒと、この赤色ＬＥＤチップ１１ｒの右下側に配置された緑色ＬＥＤチップ１１ｇと、赤色ＬＥＤチップ１１ｒの左下側に配置された青色ＬＥＤチップ１１ｂとを備えている。
【００２９】
また、赤色ＬＥＤチップ１１ｒ、緑色ＬＥＤチップ１１ｇ及び青色ＬＥＤチップ１１ｂは、第１フレーム２２ｂ、第２フレーム２３ｂ及び第３フレーム２４ｂを介してそれぞれ基板２１表面に配置されている。そして、赤色ＬＥＤチップ１１ｒは第１フレーム２２ｂにダイボンディングされており、緑色ＬＥＤチップ１１ｇは第２フレーム２３ｂにダイボンディングされており、青色ＬＥＤチップ１１２ｂは第３フレーム２４ｂにダイボンディングされている。さらに、赤色ＬＥＤチップ１１ｒは第４フレーム２２ｃに第１Ａｕ線（金線）２２ｄを介してワイヤボンディングされており、緑色ＬＥＤチップ１１ｇは第５フレーム２３ｃに第２Ａｕ線２３ｄを介してワイヤボンディングされており、青色ＬＥＤチップ１１ｂは第６フレーム２４ｃに第３Ａｕ線２４ｄを介してワイヤボンディングされている。
【００３０】
そして、これらの基板２１、赤色ＬＥＤチップ１１ｒ、緑色ＬＥＤチップ１１ｇ、青色ＬＥＤチップ１１ｂ、第１フレーム２２ｂ、第２フレーム２３ｂ、第３フレーム２４ｂ、第４フレーム２２ｃ、第５フレーム２３ｃ及び第６フレーム２４ｃは、光透過性樹脂で形成された封止樹脂部２５によってパッケージングされている。この封止樹脂部２５の側面には、第１フレーム２２ｂに電気的に接続されている第１端子２２ｅと、第２フレーム２３ｂに電気的に接続されている第２端子２３ｅと、第３フレーム２４ｂに電気的に接続されている第３端子２４ｅと、第４フレーム２２ｃに電気的に接続されている第４端子２２ｆと、第５フレーム２３ｃに電気的に接続されている第５端子２３ｆと第６フレーム２４ｃに電気的に接続されている第６端子２４ｆとが配置されている。
【００３１】
なお、図２においては、封止樹脂部２５内部の構造をより明確に示すために、封止樹脂部２５のうち領域Ａで示す部分を切り欠いて、基板２１、赤色ＬＥＤチップ１１ｒ、緑色ＬＥＤチップ１１ｇ、青色ＬＥＤチップ１１ｂ、第１フレーム２２ｂ、第２フレーム２３ｂ、第３フレーム２４ｂ、第４フレーム２２ｃ、第５フレーム２３ｃ及び第６フレーム２４ｃを図示している。
【００３２】
図４は、ＲＧＢ３色ＬＥＤ１１内の赤色ＬＥＤチップ１１ｒ、緑色ＬＥＤチップ１１ｇ及び青色ＬＥＤチップ１１ｂの接続例を示しており、本実施例１ではこれらチップ１１ｒ、１１ｇ、１１ｂを直列に接続している。
【００３３】
また、図５は、図４に示すＲＧＢ３色ＬＥＤ１１の駆動ドライバを示している。ここでは、第１スイッチ６１、第２スイッチ６２、第３スイッチ６３、第４スイッチ６４及び定電流回路６５から構成された駆動ドライバが用いられており、照明以外にも、各スイッチ６１、６２、６３をＯＮ、ＯＦＦすることにより、着信ランプとしても利用可能な構成となっている。
【００３４】
具体的に説明すると、電源とアース電位との間に、赤色ＬＥＤチップ１１ｒ、緑色ＬＥＤチップ１１ｇ、青色ＬＥＤチップ１１ｂ及び第１スイッチ６１が直列に接続される一方、赤色ＬＥＤチップ１１ｒに並列に第２スイッチ６２が接続され、緑色ＬＥＤチップ１１ｇに並列に第３スイッチ６３が接続され、青色ＬＥＤチップ１１ｂに並列に第４スイッチ６４が接続されている。そして、着信時には第１スイッチ６１がＯＮ状態に切り替わるとともに、第２ないし第４スイッチ６２〜６４が選択的に組み合わされてＯＮ状態に切り替わることにより、ＲＧＢ３色ＬＥＤ１１が所定のパターン及び色で発光し、照明時には第２ないし第４スイッチ６２〜６４がＯＦＦ状態で、第１スイッチ６１のみがＯＮ状態に切り替わることにより、ＲＧＢ３色ＬＥＤ１１が発光する。なお、ＲＧＢ３色ＬＥＤ１１を照明用としてのみ用いる場合には、第２〜第４スイッチ６２〜６４は不要である。
【００３５】
すなわち、ＲＧＢ３色ＬＥＤ１１は単一の電源で駆動され、照明として使用するときには、第１スイッチ６１のＯＮ、ＯＦＦにより点灯、消灯を行う。従って、全てのＬＥＤチップ１１ｒ、１１ｇ、１１ｂに同じ電流値（ここでは、３５ｍＡ）が供給される。このように、赤色ＬＥＤチップ１１ｒ、緑色ＬＥＤチップ１１ｇ及び青色ＬＥＤチップ１１ｂが直列接続されている場合には、駆動ドライバ内において電流値が一定となるため、定電流回路６５が用いられている。また、電源電圧としては、各ＬＥＤチップ１１ｒ、１１ｇ、１１ｂの順方向電圧の和以上、すなわち１１Ｖ以上あればよいので、電池駆動が可能である。
【００３６】
このとき、ＲＧＢ３色ＬＥＤ１１の各ＲＧＢ発光色のスぺクトルは図６に示すようになり、従来の白色ＬＥＤのスペクトル（図１６参照）に比べ、赤色の強度が高くなっている。
【００３７】
ここで、同じ電流値（３５ｍＡ）に対する赤色ＬＥＤチップ１１ｒの強度をＰｒ、緑色ＬＥＤチップ１１ｇの強度をＰｇ、青色ＬＥＤチップ１１ｂの強度をＰｂとすると、Ｐｒ、Ｐｇ、Ｐｂの比がほぼ「３：７：１」前後となるように各ＬＥＤ素子を選ぶことが好ましい。
【００３８】
すなわち、ＣＣＤカメラ１２は、色ごとに画像を取り込んで、赤色信号の強度から利得を決定し、他の緑及び青の色信号に対しても同じ利得で増幅するようになっている。そのため、利得を決定する赤色信号の強度が小さいと、利得が非常に高く設定されて他の緑及び青の色信号が飽和してしまい、逆に赤色信号の強度が大きいと、利得が非常に低く設定されて他の緑及び青の色信号が雑音に埋もれてしまうことになる。従って、上記のような比（３：７：１）に設定することで、このような不具合が解消され、良好な撮影画像を取得することができる。ただし、この比は、各ＬＥＤ素子の波長の組み合わせによって、適宜調整しても良いことはいうまでもない。
【００３９】
上記説明で用いたＲＧＢ３色ＬＥＤ１１は、本発明の照明装置の一実施例（実施例１）であり、以下に、本発明の照明装置の他の実施例について説明する。
【００４０】
図７は実施例２の照明装置の接続構成例、図８は基板上での配置構成例を示しており、２個の赤色ＬＥＤチップ１２ｒ１、１２ｒ２と、１個の緑色ＬＥＤチップ１２ｇと、１個の青色ＬＥＤチップ１２ｂとを直列に接続し、これら４個のチップ１２ｒ、１２ｇ、１２ｂを１個の電源装置（電池）で駆動するように構成したものである。
【００４１】
このときの各チップの発光色のスぺクトルは図９に示すようになる。すなわち、赤色ＬＥＤチップを２個接続することにより、赤色の強度が高くなっている。
【００４２】
図１０は実施例３の照明装置の接続構成例を示しており、赤色ＬＥＤチップ１３ｒと、青色チップ及び蛍光体からなるチップ１３ｘとを直列に接続し、これらチップ１３ｒ、１３ｘを１個の電源装置（電池）で駆動するように構成したものである。
【００４３】
このときの各チップの発光色のスぺクトルは図１１に示すようになる。すなわち、青色チップ及び蛍光体からなるチップ１３ｘでは、赤色の成分が不十分であるが、これに赤色ＬＥＤチップ１３ｒを追加したことで、ＣＣＤカメラ１２での色再現性を向上させることができる。また、本実施例３の照明装置では、チップの搭載数を３チップから２チップに減らすことができる。
【００４４】
図１２は実施例４の照明装置の接続構成例を示しており、青紫色チップ及び蛍光体の組み合わせによって赤色と緑色とを励起するＵＶチップ１４ｘと、青色ＬＥＤチップ１４ｂとを直列に接続し、これらチップ１４ｘ、１４ｂを１個の電源装置（電池）で駆動するように構成したものである。
【００４５】
このときの各チップの発光色のスぺクトルは図１３に示すようになる。すなわち、ＵＶチップ１４ｘにより赤色と緑色の２波長を得ることができるが、これに青色ＬＥＤチップ１４ｂを追加したことで、色味の弱い青色の波長を補うことができ、ＣＣＤカメラ１２での色再現性を向上させることができる。
【００４６】
図１４は実施例５の照明装置の接続構成例を示しており、青紫色チップ及び蛍光体の組み合わせによって緑色と青色とを励起するＵＶチップ１５ｘと、赤色ＬＥＤチップ１５ｒとを直列に接続し、これらチップ１５ｘ、１５ｒを１個の電源装置（電池）で駆動するように構成したものである。
【００４７】
このときの各チップの発光色のスぺクトルは図１５に示すようになる。すなわち、ＵＶチップ１５ｘにより緑色と青色の２波長を得ることができるが、これに赤色ＬＥＤチップ１５ｒを追加したことで、色味の弱い赤色の波長を補うことができ、ＣＣＤカメラ１２での色再現性を向上させることができる。
【００４８】
なお、上記したように、これら実施例２〜５においても、Ｐｒ、Ｐｇ、Ｐｂの比がほぼ「３：７：１」前後となるように各発光素子の素材を選ぶことが好ましい。
【００４９】
また、上記実施の形態では、このような照明装置とＣＣＤカメラ１２とを携帯電話機に搭載した場合を例に挙げて説明しているが、搭載する対象としては携帯電話機に限るものではなく、ＰＤＡを含む各種携帯機器に搭載することが可能である。また、この場合に、必ずしもＣＣＤカメラ１２とセットで搭載する必要はなく、単なる照明装置として携帯機器に搭載してもよい。
【００５０】
【発明の効果】
本発明の照明装置によれば、直列接続した発光ダイオードを使用することで、装置を小型化することができ、また、１個の電源装置で動作させることができる。さらに、ＣＣＤ撮像素子を有するカメラ装置に搭載した場合には、ＣＣＤ撮像素子での色再現性を向上させることができる。
【００５１】
また、本発明の照明装置によれば、赤色発光ダイオードチップを２個設けることにより、赤色の信号強度を上げることができる。これにより、ＣＣＤ撮像素子を有するカメラ装置に搭載した場合には、ＣＣＤ撮像素子での色再現性を向上させることができる。
【００５２】
また、本発明の照明装置によれば、青色チップ及び蛍光体からなるチップでは、赤色の成分が不十分であるが、これに赤色発光ダイオードを追加したことで、ＣＣＤ撮像素子を有するカメラ装置に搭載した場合に、ＣＣＤ撮像素子での色再現性を向上させることができる。
【００５３】
また、本発明の照明装置によれば、青紫色チップ及び蛍光体からなるチップにより赤色と緑色の２波長を得ることができるが、これに青色発光ダイオードを追加したことで、色味の弱い青色の波長を補うことができ、ＣＣＤ撮像素子を有するカメラ装置に搭載した場合に、ＣＣＤ撮像素子での色再現性を向上させることができる。
【００５４】
また、本発明の照明装置によれば、青紫色チップ及び蛍光体からなるチップにより緑色と青色の２波長を得ることができるが、これに赤色発光ダイオードを追加したことで、色味の弱い赤色の波長を補うことができ、ＣＣＤ撮像素子を有するカメラ装置に搭載した場合に、ＣＣＤ撮像素子での色再現性を向上させることができる。
【００５５】
また、本発明のカメラ装置によれば、赤色の発光色を強調した照明装置を搭載したことで、ＣＣＤ撮像素子での色再現性を向上させることができる。
【００５６】
また、本発明の携帯機器によれば、赤色の発光色を強調した照明装置を内蔵したカメラ装置を機器本体に一体に搭載したことで、照明付きカメラ一体型の携帯機器を提供することができる。
【図面の簡単な説明】
【図１】本発明の照明装置をカメラ付き携帯電話機に搭載した一実施の形態を示す説明図である。
【図２】図１に示す携帯電話機を構成するＲＧＢ３色ＬＥＤの実施例１を示す拡大平面図である。
【図３】図２に示すＲＧＢ３色ＬＥＤの各チップの配置を示す説明図である。
【図４】ＲＧＢ３色ＬＥＤ内の各チップの接続図である。
【図５】図４に示すＲＧＢ３色ＬＥＤの駆動ドライバの構成を示す回路図である。
【図６】ＲＧＢ３色ＬＥＤの各ＲＧＢ発光色のスぺクトルを示す図である。
【図７】実施例２の照明装置の各チップの接続図である。
【図８】実施例２の照明装置の各チップの基板上での配置を示す説明図である。
【図９】実施例２の照明装置による各チップの発光色のスぺクトルを示す図である。
【図１０】実施例３の照明装置の各チップの接続図である。
【図１１】実施例３の照明装置による各チップの発光色のスぺクトルを示す図である。
【図１２】実施例４の照明装置の各チップの接続図である。
【図１３】実施例４の照明装置による各チップの発光色のスぺクトルを示す図である。
【図１４】実施例５の照明装置の各チップの接続図である。
【図１５】実施例５の照明装置による各チップの発光色のスぺクトルを示す図である。
【図１６】従来の白色発光ダイオードのスペクトルを示す図である。
【符号の説明】
１　表示部
１１　ＲＧＢ３色ＬＥＤ
１２　カメラ装置（ＣＣＤカメラ）
１１ｒ，１２ｒ１，１２ｒ２，１３ｒ　１５ｒ　赤色ＬＥＤチップ
１１ｇ，１２ｇ　緑色ＬＥＤチップ
１１ｂ，１２ｂ，１４ｂ　青色ＬＥＤチップ
１４ｘ，１５ｘ　ＵＶチップ
【図１】
2004071807.tif 000003
【図２】
2004071807.tif 000004
【図３】
2004071807.tif 000005
【図４】
2004071807.tif 000006
【図５】
2004071807.tif 000007
【図６】
2004071807.tif 000008
【図７】
2004071807.tif 000009
【図８】
2004071807.tif 000010
【図９】
2004071807.tif 000011
【図１０】
2004071807.tif 000012
【図１１】
2004071807.tif 000013
【図１２】
2004071807.tif 000014
【図１３】
2004071807.tif 000015
【図１４】
2004071807.tif 000016
【図１５】
2004071807.tif 000017
【図１６】
2004071807.tif 000018